(57)【要約】【課題】限られたメモリ容量の移動体通信端末において、利用者が気軽に利用できるデータの配信サービスを実現することである。【解決手段】  受信したデータの利用形態が異なる第１の形態と第２の形態とがあるシステムにおける移動体通信端末において、第１の形態と第２の形態とのうちいずれの形態によるデータ受信を行うかの選択をユーザから受け付け、選択に対応する形態によりデータの送信を要求する。第１の形態の場合には、受信されたデータを不揮発性メモリ１３に記録させ、第２の形態の場合には、データを外部記録媒体１５に転送する。【選択図】図５
2006166471.tif 000002
【特許請求の範囲】
【請求項１】
受信したデータの利用形態が異なる第１の形態と第２の形態とがあるシステムにおける移動体通信端末において、
前記データの受信を行う受信手段と、
データを記憶する記録手段と、
外部記録媒体を接続させるためのインターフェイス手段と、
前記第１の形態と前記第２の形態とのうちいずれの形態によるデータ受信を行うかの選択を受け付ける選択手段と、
前記選択手段で受け付けた選択に対応する形態によりデータの送信を要求する要求手段と、
前記選択手段で受け付けた選択が、前記第１の形態の場合には、前記受信手段により受信されたデータを前記記録手段に記録させ、前記第２の形態の場合には、前記受信手段により受信されたデータを前記インターフェイス手段を介して前記外部記録媒体に転送する制御手段とを有することを特徴とする移動体通信端末。
【請求項２】
受信したデータの利用形態が異なる第１の形態と第２の形態とがあるシステムにおける移動体通信端末において、
前記データの受信を行う受信手段と、
データを記憶する記録手段と、
外部記録媒体を接続させるためのインターフェイス手段と、
前記外部記録媒体へのデータの転送指示を受け付ける受付け手段と、
前記第１の形態と前記第２の形態とのうちいずれの形態によるデータ受信を行うかの選択を受け付ける選択手段と、
前記選択手段で受け付けた選択に対応する形態によりデータの送信を要求する要求手段と、
前記選択手段で受け付けた選択が、前記第１の形態の場合には、前記受信手段により受信されたデータを前記記録手段に記録させ、前記第２の形態の場合には、前記受信手段により受信されたデータを前記記録手段に記録させ、前記受付け手段で指示を受け付けたときに、前記記録手段に記録されたデータを前記インターフェイス手段を介して前記外部記録媒体に転送する制御手段とを有することを特徴とする移動体通信端末。
【請求項３】
請求項１または２に記載の移動体通信端末において、受信するデータの種別を表示する表示手段を有し、前記選択手段は、前記データの種別の選択をさらに受け付け、
前記要求手段は、前記選択手段により選択されたデータの種別を送信することを特徴とする移動体通信端末。
【請求項４】
請求項１または２に記載の移動体通信端末において、金額情報を記録する記録媒体が装着されるポート手段をさらに有し、前記制御手段は、前記記録媒体が前記ポート手段に装着されているときに、前記受信手段でデータを受信した場合に、前記選択された形態に対応する金額情報により前記記録媒体に記録されている金額情報を更新することを特徴とする移動体通信端末。
【請求項５】
請求項１または２に記載の移動体通信端末において、前記要求手段により要求された形態によるデータ送信が拒否された場合に、その旨を通知する通知手段をさらに有することを特徴とする移動体通信端末。
【請求項６】
請求項１または２に記載の移動体通信端末において、前記受信手段により受信されたデータから、当該データが前記第１の形態であるか第２の形態であるかを示す情報を検出し、検出した形態が、前記選択手段により選択された形態と一致するか否かを認証する認証手段をさらに有することを特徴とする移動体通信端末。
【発明の詳細な説明】
【技術分野】
【０００１】
本発明は、音声、画像信号などのデータを無線で受信して再生する移動体通信端末に関する。
【背景技術】
【０００２】
近年、携帯電話に代表される移動体通信端末は、機器のディジタル化・小型化および利用料金の低価格化により、急速に普及率が高まっている。この移動体通信端末の詳細については、安田靖彦「ＩＳＤＮ時代の移動体通信システム」（pp.97-131、オーム社）（以下、非特許文献１という）に記載されている。携帯電話は、当初、電話による通話サービスからスタートしたが、その後、データ通信端末としての機能も付加され、現在、電子メール、インターネットへのアクセス機能を有するものも製品化されている。携帯電話のデータ通信の転送レートは、当初２．４Ｋｂｐｓ程度から、９．６Ｋｂｐｓ、２８．８Ｋｂｐｓと徐々に高くなっており、さらに、ＣＤＭＡ方式の端末においては、高速移動で１４４ｋｂｐｓ、歩行で３８４ｋｂｐｓ、屋内で２Ｍｂｐｓとなる。この移動体通信端末でのデータ転送に関しては、本間光一「無線端末」（Vol.82 No.2 pp.138-144、電子通信学会誌）（以下、非特許文献２という）に記載されている。
【０００３】
また、音声の圧縮技術も進歩してきており、移動体通信のデータ転送により音楽などの音声データの配信さえ可能になろうとしている。例えば、音楽のタイトルを指定し、サーバより音声データをダウンロードしてこのダウンロードした音楽を利用者が移動中に楽しむことも可能になろうとしている。
【０００４】
【非特許文献１】「ＩＳＤＮ時代の移動体通信システム」安田靖彦著（pp.97-131、オーム社）
【非特許文献２】「無線端末」本間光一著（Vol.82 No.2 pp.138-144、電子通信学会誌）
【発明の開示】
【発明が解決しようとする課題】
【０００５】
移動体通信のデータ転送による音楽などの音声データの配信を実現するためには、いくつかの問題点がある。そのひとつが、移動体通信に搭載可能なメモリの容量である。上述したように、音声の圧縮技術が進歩してきているが、音楽の品質をＣＤ品質程度に維持するには128kbps程度の速度が必要である。したがって、４５分のＣＤタイトルの圧縮データをすべて保持するには、３５ＭＢ程度の記録容量が必要となる。複数のタイトルをダウンロードする場合、容量不足となることがあり、この場合、以前記録した音楽データを消去して上書きする必要がある。音楽のデータの多くは、著作権があるためダウンロードの時などに、利用者がライセンス料を徴収されることとなるが、ライセンス料の支払後に音声データを削除されるということは、利用者としては不利になり、気軽に利用できるサービスにはならない可能性もある。
【０００６】
本発明の課題は、利用者が容易にデータの配信サービスを利用可能な移動体通信端末を提供することである。
【課題を解決するための手段】
【０００７】
この課題を解決するために、本発明は、受信したデータの利用形態が異なる第１の形態と第２の形態とがあるシステムにおける移動体通信端末において、前記データの受信を行う受信手段と、データを記憶する記録手段と、外部記録媒体を接続させるためのインターフェイス手段と、前記第１の形態と前記第２の形態とのうちいずれの形態によるデータ受信を行うかの選択を受け付ける選択手段と、前記選択手段で受け付けた選択に対応する形態によりデータの送信を要求する要求手段と、前記選択手段で受け付けた選択が、前記第１の形態の場合には、前記受信手段により受信されたデータを前記記録手段に記録させ、前記第２の形態の場合には、前記受信手段により受信されたデータを前記インターフェイス手段を介して前記外部記録媒体に転送する制御手段とを有する。
受信したデータの利用形態が異なる第１の形態と第２の形態とがあるシステムにおける移動体通信端末において、前記データの受信を行う受信手段と、データを記憶する記録手段と、外部記録媒体を接続させるためのインターフェイス手段と、前記外部記録媒体へのデータの転送指示を受け付ける受付け手段と、第１の形態と前記第２の形態とのうちいずれの形態によるデータ受信を行うかの選択を受け付ける選択手段と、前記選択手段で受け付けた選択に対応する形態によりデータの送信を要求する要求手段と、前記選択手段で受け付けた選択が、前記第１の形態の場合には、前記受信手段により受信されたデータを前記記録手段に記録させ、前記第２の形態の場合には、前記受信手段により受信されたデータを前記記録手段に記録させ、前記受付け手段で指示を受け付けたときに、前記記録手段に記録されたデータを前記インターフェイス手段を介して前記外部記録媒体に転送する制御手段とを有する。
受信するデータの種別を表示する表示手段を有し、前記選択手段は、前記データの種別の選択をさらに受け付け、前記要求手段は、前記選択手段により選択されたデータの種別を送信する。
金額情報を記録する記録媒体が装着されるポート手段をさらに有し、前記制御手段は、前記記録媒体が前記ポート手段に装着されているときに、前記受信手段でデータを受信した場合に、前記選択された形態に対応する金額情報により前記記録媒体に記録されている金額情報を更新する。
前記要求手段により要求された形態によるデータ送信が拒否された場合に、その旨を通知する通知手段をさらに有するようにしてもよい。
前記受信手段により受信されたデータから、当該データが前記第１の形態であるか第２の形態であるかを示す情報を検出し、検出した形態が、前記選択手段により選択された形態と一致するか否かを認証する認証手段をさらに有することができる。
【発明の効果】
【０００８】
本発明によれば、利用者が容易にデータの配信サービスを利用可能な移動体通信端末を提供することができる。
【発明を実施するための最良の形態】
【０００９】
以下、本発明の実施の形態を図面を参照して説明する。
【実施例１】
【００１０】
図１は、本発明の第１の実施の形態の構成図を示したものである。図１において、移動体通信端末は、電波の送受信を行うアンテナ１と、送受信のＲＦ信号を増幅するＲＦ部２と、データの変復調及びフレームの組み立て・分解をおこなうモデム・チャネルコーデック部３と、第１の音声のエンコード及びデコードを行う音声コーデック４と、制御手段であるＭＰＵ(Micro-Processor Unit)５と、音声入力を行うマイク６と、音声出力を行うスピーカ７と、文字情報を表示する表示部８と、電話番号や指示を受け付けるキーボード９と、一時的にデータを記憶するＲＡＭ１０と、処理に対応するプログラムを記憶するＲＯＭ１１と、後述する認証を行う認証部１２と、受信したデータを記憶する不揮発性メモリ１３と、着脱可能な外部記録媒体１５と、外部記録媒体１５が装着されるカードインターフェイス１４と、制御手段であるＭＰＵ１６と、第２の音声のエンコードおよびデコードを行う音声コーデック１７と、音声を出力するスピーカ１８とを備える。不揮発性メモリ１３は、ＦＬＡＳＨタイプ、または、バックアップ電源を有するＲＡＭなどの移動体通信端末の電源がＯＦＦでもデータの保持ができる記録媒体であり、磁気記録タイプの記憶媒体でもよい。
【００１１】
また、図６に、移動体通信端末の一例として、携帯電話の外観図を示す。図６に示すように、本実施の形態における携帯電話は、外部記録媒体１５が内部のカードインターフェイス１４に装着される。また、キーボード９は、電話番号の入力のほかに、ダウンロードサービスの選択の受付け、メニューの選択の受付け、利用形態の選択の受付けなどを行うために、キーボードの各キーもしくはキーの組み合わせによりファンクションが予め設定されている。
【００１２】
また、図２は、通常の移動体通信端末の構成例を示している。 本例は、ＰＤＣなどの携帯電話の構成例であり、電波の送受信を行うアンテナ１、送受信のＲＦ信号を増幅するＲＦ部２、データの変復調及びフレームの組み立て・分解をおこなうモデム・チャネルコーデック部３、音声のエンコード及びデコードを行う音声コーデック４、制御手段であるＭＰＵ５、音声入力を行うマイク６、音声出力を行うスピーカ７、文字情報を表示する表示部８、電話番号を受け付けるキーボード９、一時的にデータを記憶するＲＡＭ１０、及び、処理に対応するプログラムを記憶するＲＯＭ１１を備える。
【００１３】
以下、まず図２により移動体通信装置の通常の動作について説明し、次に図１に示した本実施の形態の構成における動作を説明する。
【００１４】
まず、図２において、アンテナ１からは、携帯電話で使用されている無線周波数の信号を受信する。受信した信号はＲＦ２により増幅して、増幅した信号をモデム・チャネルコーデック３に供給する。モデム・チャネルコーデック３では、モデム部において供給されたＲＦ信号を復調する。一般に携帯電話では、ＱＰＳＫなどで変調されているので、ここでは、ＱＰＳＫの復調処理等を行う。復調した信号はモデム・チャネルコーデック３のチャネルコーデック部に供給して、チャネルコーデック部ではフレームの分解を行い、多重化された各種データを取り出す。
【００１５】
データ通信では、一定の時間間隔（フレーム）にいくつかの情報を多重化しており、データの種別ごとにデータを送受信するチャネルを設けている。このチャネルには、端末（移動局）側に知らせる報知用チャネル、発着呼制御を主目的として各通信機器が共用する制御チャネル、及び、通信に必要な情報と音声データの電送を目的とした通信チャネルなどがある。上記のチャネルコーデック部においては、これらの各チャネルより、データ種別ごとに分割して、ＭＰＵ５及び音声コーデック４に供給する。ＭＰＵ５では、チャネルコーデックより得たデータに応じ、各部の制御などを行う。たとえば、表示部への情報表示、または、モデム・チャネルコーデック３の制御などを行う。音声は、通信のデータ量を削減するためにデータ圧縮された状態で送られてくるため、音声コーデックでは、モデム・チャネルコーデック３より音声データを受け取り、伸長処理を行い、音声データをスピーカに供給する。
【００１６】
以上は、受信側に説明をしたが、携帯電話では、音声の送信も同時に行われる。
【００１７】
送信時には、まずマイクより取り込んだ音声データを音声コーデック４に供給して、音声コーデック４において音声の圧縮を行い圧縮後のデータをモデム・チャネルコーデック３に供給する。モデム・チャネルコーデック３では、圧縮後の音声データを他の通信に必要な情報及び制御データと共にフレームを組み立て、ＱＳＰＫなどの変調を行った後、ＲＦ部に供給する。ＲＦ部では、供給された信号を増幅してアンテナ１に供給する。アンテナ１では、ＲＦ部で増幅された信号を電波として送信する。
【００１８】
次に、本発明による実施の形態の動作を図５を参照して説明する。本実施の形態は、携帯電話の機能に、さらに、音声及び画像などのデータを保持する基地局または基地局のバックボーンに設けられたデータサーバから、データをダウンロードする機能と、ダウンロードする場合に、データの複数の利用形態の中からユーザの選択を受け付け、選択された利用形態に対応する処理を行う機能とを備える。携帯電話の通話機能については、図２に示す動作と同じである。
【００１９】
本実施の形態においては、データの複数の利用形態として、ダウンロードデータをコピーできないデータ形態でダウンロードする第１の形態と、ダウンロードデータをコピーできる形態でダウンロードする第２の形態とを備える。
【００２０】
第１の利用形態が選択された場合には、基地局側から、コピーできないようなダウンロードデータが送信され、受信したダウンロードデータを不揮発性メモリ１３に記録させる。ユーザは、不揮発性メモリ１３に記録されたデータを再生することにより、一時的にデータを利用することができるが、外部記録媒体１５にデータを保存させることはできない。不揮発性メモリ１３に記録されたデータは、予め定めた時間経過したときに、消去される。もしくは、次のデータが受信されたときに、不揮発性メモリ１３に記録されているデータを更新するようにしてもよい。
【００２１】
また、第２の利用形態が選択された場合には、基地局側から、コピーできるダウンロードデータが送信され、受信したダウンロードデータを不揮発性メモリ１３、もしくは、取り出し可能な記録媒体である外部記録媒体１５に保存させる。
【００２２】
また、第１の利用形態と、第２の利用形態とで、受信したデータに対する対価（ライセンス料、使用料等）を異ならせるようにできる。この場合、基地局側で、ライセンス料を通話料とともに徴収するようにできる。また、基地局側から送信されるコピーできないデータ形態としては、コピープロテクトをかけたデータや、暗号化したデータなどが利用される。
【００２３】
図５は、本実施の形態における処理のフローチャートを示している。図５に示すフローチャートに対応するプログラムは、ＲＯＭ１１に記憶されており、ＭＰＵ５により実行される。また、図７に、移動体通信端末の表示部に表示される内容を示す説明図を示す。
【００２４】
図５において、移動体通信端末の使用者は、キーボード９よりデータのダウンロードサービスを選択指定する。ダウンロードサービスの指定を受け付けると、ＭＰＵ５は、モデム・チャネルコーデック３に、ダウンロードサービス要求のデータを供給する。モデム・チャネルコーデック３は、チャネルコーデック部にて、基地局側に送出するフレームにこの要求を組み込み、モデム部にて変調を行い、変調後の信号をＲＦ部２に供給する。この指定データを含んだＲＦ信号は、ＲＦ部２において増幅された後、アンテナ１より送信される（Ｓ１０１）。この送出された信号は、基地局側で受信され、基地局側もしくはサーバ側では、この受信した信号を解析し、使用者がデータのダウンロードサービスを指定したことを検知して、データのメニューを含む信号を送出する。
【００２５】
移動体通信側では、この送出されたメニューデータをアンテナ１で受信し、ＲＦ部で増幅された後、モデム・チャネルコーデック３において復調およびフレームの分解を行い、基地局側から送出されたメニューデータを検出する。ＭＰＵ５は、モデム・チャネルコーデック３からをこのメニューデータを受け取り、表示部８にメニューを表示させる（Ｓ１０２）。メニューの表示例としては、例えば、音楽のジャンルや、曲名などのデータの種別を示す情報が示される。使用者は、このメニューからダウンロードするデータをキーボード９により選択する。メニューの選択肢を受け付けると、ＭＰＵ５は、上述したデータのダウンロードサービスの指定を基地側に送出した処理と同様の処理により、基地側にメニューの選択肢を送信する（Ｓ１０３）。
【００２６】
基地側では、ダウンロードするデータを検知し、利用形態が、第１の形態か、第２の利用形態であるかの問い合わせの信号を移動体端末側に送る。移動体端末側では、アンテナ１、ＲＦ部２、モデム・チャネルコーデック３およびＭＰＵ５を介して、この問い合わせを、図７に示すように表示部８に表示する。
【００２７】
図７において、第１の利用形態と第２の利用形態との選択肢を表示した例を示している。第１の利用形態の場合、一時的な利用となり、第２の利用形態の場合、永久的な利用であり、買い取りということになる。ユーザは、この問い合わせに対し、第１の利用形態と第２の利用形態とのうちいずれの形態でダウンロードするかをキーボード９により選択する。移動体通信端末は、キーボード９で受け付けた利用形態の選択信号を、ＭＰＵ５、モデム・チャネルコーデック３、 ＲＦ部２およびアンテナ１を介して基地局側に送出する（Ｓ１０５）。
【００２８】
基地局側では、この選択信号を受信し、指定されたダウンロードデータと、選択された利用形態に対応する対価の額を示す金額情報とを組み込んだデータを送出する。移動体通信端末側では、このデータを受信して（Ｓ１０６）、アンテナ１、ＲＦ部２、モデム・チャネルコーデック３およびＭＰＵ５を介して、ＭＰＵ１６に供給する。ＭＰＵ１６では、認証部１２において、このデータが本移動体通信端末に送られてきた利用者が指定したデータであることと、利用者が選択した利用形態にあったデータであることとを確認したのち、 供給されたデータの利用形態を判断し（Ｓ１０７）、利用形態に対応させてメモリ１３または取り出し可能な記録媒体１５に記録させる。
【００２９】
このとき、利用者が、第１の利用形態を選択した場合には、端末から取り外しのできない不揮発性メモリ１３にコピーできない形態でデータが記録される（Ｓ１０９）。また、利用者が、第２の利用形態を選択した場合、取り出し可能な外部記録媒体１５にコピーできる形態でデータを記憶させる（Ｓ１０８）。もしくは、第２の利用形態が選択された場合に、一時的に不揮発性メモリ１３に記憶させ、利用者が、外部記録媒体１５へのコピーを指定したときに、ＭＰＵ１６の認証部１２で、指定されたデータが第２の利用形態であるか否かを認証し、第２の利用形態である場合には、不揮発性メモリ１３から外部記録媒体１５にデータを転送させるようにしてもよい。
【００３０】
利用者が、データの再生を指示した場合、再生指示を受け付けたＭＰＵ５は（Ｓ１１０）、不揮発性メモリ１３または外部記録媒体１５よりデータを読み出させ、データを音声コーデック１７に供給し、音声コーデック１７においてデータの伸張を行い、スピーカに供給して、音声を出力させる（Ｓ１１１）。
【００３１】
本実施の形態によれば、移動体通信端末において、不揮発性メモリ１３にコピーできない形態でデータを記憶させる第１の利用形態と、取り出し可能な外部記録媒体１５にコピーできる形態でデータを記録させる第２の形態という２つの形態のデータのダウンロードが可能である。一時的にデータを利用する第１の利用形態の場合のライセンス料を、長期または永久に音楽データを利用する第２の利用形態のライセンス料に比べ安価に設定することにより、限られた内蔵のメモリ容量の移動体通信端末において、利用者は、気軽に音楽データなどを自由に利用することができる。
【実施例２】
【００３２】
次に、第２の実施の形態を図３を参照して説明する。図３は、第２の実施の形態による移動体通信端末の構成を示したものである。図３において、移動体通信端末は、電波の送受信を行うアンテナ１と、送受信のＲＦ信号を増幅するＲＦ部２と、データの変復調及びフレームの組み立て・分解をおこなうモデム・チャネルコーデック部３と、音声のエンコード及びデコードを行う音声コーデック４０と、制御手段であるＭＰＵ５０と、音声入力を行うマイク６と、音声出力を行うスピーカ７と、文字情報を表示する表示部８と、電話番号や指示を受け付けるキーボード９と、一時的にデータを記憶するＲＡＭ１０と、処理に対応するプログラムを記憶するＲＯＭ１１と、後述する認証を行う認証部１２と、受信したデータを記憶する不揮発性メモリ１３と、着脱可能な外部記録媒体１５と、外部記録媒体１５が装着されるカードインターフェイス１４とを備える。
【００３３】
第２の実施の形態が、第１の実施の形態と異なる点は、ＭＰＵ５０の内部に、認証部１２を持たせ、また、不揮発性メモリ１３および外部記録媒体１５へのデータの書き込みおよび読み出し（再生処理）の機能（第１の実施の形態におけるＭＰＵ１６の機能）を持たせた点と、音声コーデック４０が２種類のモードを備える点である。本実施の形態における音声コーデック４０は、電話の通話用の圧縮・伸張用モードのコーデック機能と、基地局側からダウンロードした音声データの伸張モードのための機能と2つ圧縮・伸張モードに対応している。本実施の形態においても、第１の実施の形態のすべての機能を有しており、第１の実施の形態と同様の効果が得られる。本実施の形態によれば、ＭＰＵおよび音声コーデック部が1つですむため、小型化および低価格化が可能である。
【００３４】
また、図３において、スピーカは１つで、通話時とダウンロードした音声データの出力に兼用する形になっているが、図１と同様に、ダウンロードした音声データの出力に別のスピーカ１８または外付けのヘッドホーンなどをつける端子を設けてもよい。また、音声用の圧縮伸長モード１とダウンロードしたデータの伸長用のモード２とを持たせているが、音声用の圧縮伸長とダウンロードしたデータの伸長用の圧縮方式は、同一の方式でも構わない。
【００３５】
次に、第３の実施の形態を図４を参照して説明する。図４は、第４の実施の形態における移動体通信端末の構成例を示したものである。本実施の形態は、ポート手段であるカードインターフェイス１４０に、着脱可能な外部記録媒体１５とマネーカード１９とを取り付け可能にしたものである。マネーカード１９は、金額情報を記録する記録媒体であり、ＩＣカードや、プリペイドカードなどである。本実施の形態において、制御手段であるＭＰＵ５０は、マネーカード１９がカードインターフェイス１４０に装着されているときに、データを受信した場合に、選択された利用形態に対応する金額情報によりマネーカード１９に記録されている金額情報を更新する。これにより、利用者が、ダウンロードする場合のライセンス料をピリペイドカードなどのマネーカードから支払うことができる。
【００３６】
上記各実施に形態によれば、移動体通信端末において、不揮発性メモリ１３にデータをコピーできない形態で記録する第１の形態と、取り出し可能な外部記録媒体１４にデータをコピーできる形態で記録する第２の形態という２つの形態のデータダウンロードを実現することができる。これにより、限られた内蔵のメモリ容量の移動体通信端末において、利用者は、気軽に音楽データなどを自由に利用できる環境を実現できる。
【００３７】
また、以上の説明では、第１の形態と、第２の形態という２つの形態のダウンロードを実現する実施の形態について説明してきたが、第１の形態から、第２の形態への変更を可能にしてもよい。この場合、ユーザから形態の変更指示を受け付けると、ＭＰＵは、基地局側に、形態変更指示を要求し、基地局側から許可を受けるとともに第２の形態によるデータを受信することにより実現できる。
【００３８】
さらに、以上の説明では、ダウンロードするデータを音楽などの音声データとして説明してきたが、音声データと画像データとを含んだデータであってもよい。この場合、画像データを、表示部８に表示させるようにＭＰＵ５にて処理するように構成すればよい。
また、データの複数の利用形態として、データを受信したときに、記録しないで、ライブで再生出力するような形態を備えるようにしてもよい。データを一時的に利用する場合に、利用時間を指定するようにしてもよい。
【図面の簡単な説明】
【００３９】
【図１】本発明による第１の実施の形態の構成図。
【図２】移動体通信端末の構成図。
【図３】本発明による第２の実施の形態の構成図。
【図４】本発明による第３の実施の形態の構成図。
【図５】第１の実施の形態における処理のフローチャート。
【図６】第１の実施の形態における携帯電話の外観図。
【図７】第１の実施の形態における表示部の表示内容を示す説明図。
【符号の説明】
【００４０】
１…送受信アンテナ
２…ＲＦ部
３…モデム・チャネルコーデック部
４…音声コーデック部
５…ＭＰＵ
６…マイク
７…スピーカ
８…表示部
９…キーボード
１０…ＲＡＭ
１１…ＲＯＭ
１２…認証部
１３…メモリ
１４…カードインターフェイス
１５…外部記録媒体
１６…ＭＰＵ
１７…音声コーデック
１８…スピーカ
１９…マネーカード。
【図１】
2006166471.tif 000003
【図２】
2006166471.tif 000004
【図３】
2006166471.tif 000005
【図４】
2006166471.tif 000006
【図５】
2006166471.tif 000007
【図６】
2006166471.tif 000008
【図７】
2006166471.tif 000009